(57)【特許請求の範囲】
【請求項１】
前後一対の支柱が左右方向に多数配設されるとともに、前後の支柱間に左右方向に突出される腕木装置が設けられることで、左右で相対向された腕木装置の上方を収納空間として棚装置が構成され、この棚装置には消火手段が組み込まれるとともに、前記収納空間は上下方向で複数形成され、所定の位置の腕木装置の下方には、収納空間の上部を水平状に遮断する不燃性のシートが配設され、不燃性のシートの一側部分と、隣接された不燃性のシートの他側部分とが接続されていることを特徴とする消火手段付き立体棚設備。
【請求項２】
不燃性のシートは、その一側部分が芯体に固定され、配設前のシートは芯体に巻き付けられて取り扱われ、配設時にシートは芯体から巻き戻されるとともに、その他側部分が、隣接されたシートの一側部分に接続可能であることを特徴とする請求項１記載の消火手段付き立体棚設備。
【請求項３】
シート間の接続が、不燃糸による縫合接続であることを特徴とする請求項２記載の消火手段付き立体棚設備。
【発明の詳細な説明】
【０００１】
【発明の属する技術分野】
本発明は、たとえば出し入れ装置との組合せにより自動消火機能を備えた自動倉庫を構成する消火手段付き立体棚設備に関するものである。
【０００２】
【従来の技術】
従来、この種の自動倉庫としては、たとえば特開平１０−１０９７１８号公報に見られる構成が提供されている。すなわち、支柱が所定の間隔で複数立設されるとともに、この支柱に腕木が上下方向に沿って所定の間隔で複数設けられ、前記支柱間を上下方向に仕切るように支柱の所定高さ位置に火炎遮断板が配設され、そして所定の火炎遮断板の下方に消火手段が配備されている。前記火炎遮断板は平板状またはＵ字折り曲げ状であって、支柱に設けられたブラケットの上部にその端部がボルトで固定されたり、あるいは腕木の上面や下面にボルトで固定されている。
【０００３】
【発明が解決しようとする課題】
上記した従来構成によると、火炎遮断板は鉄鋼製の矩形板状体であることから、施工現場への運搬には相応の運搬手段を必要とし、また施工現場での組み立ては、その形状や重量から容易に行えない。
そこで本発明のうち請求項１記載の発明は、遮断を行う部材の施工現場への運搬や施工現場での組み立てを容易に行える消火手段付き立体棚設備を提供することを目的としたものである。
【０００４】
【課題を解決するための手段】
前述した目的を達成するために、本発明のうちで請求項１記載の消火手段付き立体棚設備は、前後一対の支柱が左右方向に多数配設されるとともに、前後の支柱間に左右方向に突出される腕木装置が設けられることで、左右で相対向された腕木装置の上方を収納空間として棚装置が構成され、この棚装置には消火手段が組み込まれるとともに、前記収納空間は上下方向で複数形成され、所定の位置の腕木装置の下方には、収納空間の上部を水平状に遮断する不燃性のシートが配設され、不燃性のシートの一側部分と、隣接された不燃性のシートの他側部分とが接続されていることを特徴としたものである。
【０００５】
したがって請求項１の発明によると、不燃性のシートは、巻き取りや折り畳みなどにより小さくまとめて施工現場へ運搬し得、また軽くかつ展張し易いことから施工現場での組み立ては容易に行える。使用時において、たとえば荷の発火などにより火災が発生したとき、シートの下面に炎や煙が下方から当たるが、このときシートは不燃性で炎や煙に強いことから、損傷されることなく当該収納空間の上部や前後の支柱間の空間などを水平状に遮断し、炎や煙が上段の収納空間に下方から流れ込むことを阻止し得る。さらに火災が生じたとき、その上昇する熱気の感知などによって消火手段が自動的に作動して、荷に向けて散水し得る。
【０００６】
また本発明の請求項２記載の消火手段付き立体棚設備は、上記した請求項１記載の構成において、不燃性のシートは、その一側部分が芯体に固定され、配設前のシートは芯体に巻き付けられて取り扱われ、配設時にシートは芯体から巻き戻されるとともに、その他側部分が、隣接されたシートの一側部分に接続可能であることを特徴としたものである。
【０００７】
したがって請求項２の発明によると、シートは、芯体に巻き付けた状態で、製作工場から施工現場へと出荷し得る。さらにユニット化された枠組み体に付けたままで運搬することも可能となる。また施工現場でのシートの配設は、芯体から巻き戻しながら行える。
そして本発明の請求項３記載の消火手段付き立体棚設備は、上記した請求項２記載の構成において、シート間の接続が、不燃糸による縫合接続であることを特徴としたものである。
【０００８】
したがって請求項３の発明によると、シート間の接続は、不燃糸による縫合によって容易に迅速に行える。
【０００９】
【発明の実施の形態】
以下に、本発明の第一の実施の形態を、図１〜図８に基づいて説明する。
図１、図２に示すように棚装置１は、両側の側部枠組み体５と複数の中間部枠組み体６と、これら枠組み体５，６の左右方向Ｙでの連結を行う連結材である横ビーム７やブレース８や水平材９などにより構成される。ここで枠組み体５，６はユニット化されている。
【００１０】
すなわち図１〜図７に示すように、前記枠組み体５，６は、所定間隔を隔てた前後一対の支柱１１を有し、これら支柱１１間の上下方向Ｚの複数箇所が、支柱１１間に生じた空間１２内に位置された前後方向（水平状または傾斜状）Ｘのラチス１３を介して連結される。その際にラチス１３は支柱１１の幅内に位置されている。
【００１１】
さらに中間部枠組み体６の前後の支柱１１間は、左右方向Ｙの両側に突出される腕木装置１５により連結されている。すなわち腕木装置１５は、両支柱１１からそれぞれ左右方向Ｙでかつ水平状に突出された腕木１６と、前後で対向した腕木１６の遊端間に取り付けられた腕木レール１７とにより形成される。なお、側部枠組み体５には、片側のみ突出される腕木装置１５が設けられている。
【００１２】
上記構成の側部枠組み体５や中間部枠組み体６は、側部枠組み体５と中間部枠組み体６との支柱１１の左右方向Ｙを所定ピッチＰとして、ならびに中間部枠組み体６，６間の支柱１１の左右方向Ｙも所定ピッチＰとして、これら側部枠組み体５と中間部枠組み体６とが左右方向Ｙで並設されるとともに、隣接した枠組み体５，６間が、横ビーム７やブレース８や水平材９を介して連結される。
【００１３】
なお前記支柱１１の上下両端には、側部枠組み体５または中間部枠組み体６を積上げ状に連結するためのフランジ１８が設けられる。また最下段に相当する支柱１１の下端には調整自在な着地体１９が設けられ、この着地体１９は省略されてもよい。そして、各支柱１１の前後方向での外面側の所定箇所には、横ビーム７やブレース８の連結を行うための取り付け板１０が固定されている。
【００１４】
このようにして組み立てられる棚装置１においては、左右で相対向した腕木装置１５の上方に収納空間２が、上下方向Ｚで複数形成されている。そして収納空間２内において、左右の腕木装置１５間で荷５８を直接にまたはパレットを介して支持すべく構成されている。
前記棚装置１には消火手段２０が組み込まれる。すなわち、枠組み体５，６間の中央部分でかつ収納空間２の最奥部を利用して（通して）、消火用の給水管２１が縦方向に配設される。この給水管２１は、連結具や溶接などによりブレース８側に固定されている。
【００１５】
上下方向Ｚの所定箇所において、給水管２１からは、隣接された腕木装置１５の下方に向けて分岐管２２が連設され、この分岐管２２の遊端で前記空間１２の近くにはスプリンクラーヘッド２３が設けられる。そしてシート（後述する。）から離れて配置されるスプリンクラーヘッド２３の上方には遮水板（図示せず。）が設けられている。
【００１６】
所定の位置の腕木装置１５の下方には、収納空間２の上部を水平状に遮断する不燃性（難燃性）のシート３０が配設されている。ここで不燃性のシート３０としては、ガラス繊維製シート、テントハウスに使用される防水防火シートなどが採用される。そしてシート３０は、その一側部分がパイプ状の芯体３１に固定され、さらに芯体３１からは、一側部分が延長される状態で不燃性の縁部シート３０ａが固定されている。
【００１７】
前記芯体３１には芯棒３２が挿通されるとともに両者３１，３２は相対回転自在に構成され、そして芯棒３２は芯体３１に対して前後方向Ｘの両側に突出されて、それぞれ連結部材３３を介して支柱１１側に支持されている。その際にシート３０は、水平状に配設前は芯体３１に巻き付けられて取り扱われる。すなわちシート３０は、芯体３１に巻き付けられ支柱１１側に小さくまとめられた状態で、製作工場から施工現場へと出荷（運搬）されることになる。
【００１８】
そしてシート３０は、施工現場での水平状への配設時には芯体３１から巻き戻される。この巻き戻しは、芯棒３２に対して芯体３１が回転されることで軽く容易にかつ整然と行える。このようにして巻き戻すことによって展張されたシート３０の他側部分３０ｂが、隣接されたシート３０の一側部分である縁シート部３０ａに接続される。その際にシート３０間、すなわち、他側部分３０ｂと縁部シート３０ａとの接続は、不燃糸３４による縫合によって行われている。
【００１９】
上述したようなシート３０の展張や隣接したシート３０間の接続は、前述した棚装置１の組立てを行った後、さらには後述する自動倉庫の運転前に行うのが好適である。そして、展張し接続したシート３０群は、収納空間２の上部を水平状に遮断するとともに、支柱１１間の空間１２の遮断も行うことになる。その際にシート３０は、図５に示されるように、その縁シート部３０ａや他側部分３０ｂを含めて、支柱１１や給水管２１などを回避しながら最大面積を遮蔽し得るように形成されている。
【００２０】
上述したようにして棚装置１を組み立てる際に、配管接続も行われる。すなわち図２に示すように、縦方向に配置した給水管２１の各下端は、棚装置１に必ず生じる下部デッドスペースＤを利用して床側に配管された主給水管３８に管継手３９を介して接続され、その際に接続は、床側から容易に迅速に行える。
上記構成の棚装置１は図８に示すように、左右方向Ｙに沿った通路４０を置いて前後方向Ｘで一対が並設され、そして通路４０内には、棚装置１の前面に沿った一定経路４１上において走行自在でかつ収納空間２との間で荷５８を受け渡し自在な出し入れ装置４５が設けられる。この出し入れ装置４５は、走行機体４６と、この走行機体４６から立設されたポスト４７と、このポスト４７に案内される昇降台４８と、この昇降台４８上で横方向に出退自在に設けられた出し入れ具４９などにより構成される。
【００２１】
そして棚装置１の端部外方に荷受け台５０を設けることで、全体として自動倉庫５５を構成し、さらに棚装置１の背面どうしを背中合わせにして複数の自動倉庫５５を配設することで、全体として自動倉庫設備５６を構成している。
以下に、上記のように構成した自動倉庫設備５６における作用を説明する。すなわち各自動倉庫５５においては、走行機体４６の走行動と、昇降台４８の昇降動と、出し入れ具４９の横方向出退動との組合せ動作によって、棚装置１の目的とする収納空間２と荷受け台５０との間で荷５８の受け渡し（入出庫）を行える。
【００２２】
このような運転中や夜間の運転停止中において、たとえば荷５８の発火などにより火災が生じたとき、その上昇する熱気が最も近いシート３０に集められることになり、そして設定温度以上に昇温すると、このシート３０の真下に位置しているスプリンクラーヘッド２３が自動的に破裂、開栓し、以て主給水管３８から給水管２１を介して分岐管２２に達している圧力水が、スプリンクラーヘッド２３から荷５８に向けて散水される。
【００２３】
なお最上位の収納空間２に対しては、枠組み体５，６の上端に設けられたスプリンクラーヘッド２３で散水を行ってもよく、また建物の天井裏側に配設された消火設備を使用して散水を行ってもよい。
前述したように火災が発生したとき、シート３０の下面に炎や煙が下方から当たるが、このときシート３０は不燃性で炎や煙に強いことから、損傷されることなく当該収納空間２の上部や空間１２などを水平状に遮断し、炎や煙が上段の収納空間２に下方から流れ込むことを阻止し得、以て上段の収納空間２内の荷５８が延焼され難くし得る。
【００２４】
次に、本発明の第二の実施の形態を、図９に基づいて説明する。
すなわちシート３０は、その一側縁から少し入った位置が芯体３１に固定され、これにより芯体３１に対して一側部分３０ａが、他側部分３０ｂの反対側に位置される。そして一側部分３０ａに、隣接されたシート３０の他側部分３０ｂが、不燃糸３４による縫合によって接続されている。
【００２５】
次に、本発明の第三の実施の形態を、図１０に基づいて説明する。
すなわちシート３０は、その一側縁が芯体３１に固定され、これにより芯体３１に対して一側部分３０ａが、他側部分３０ｂと同じ側に位置される。そして一側部分３０ａに、隣接されたシート３０の他側部分３０ｂが、不燃糸３４による縫合によって接続されている。このとき芯体３１の下方において、シート３０は二枚重ね状となる。
【００２６】
上記した各実施の形態では、シート３０が不燃糸３４による縫合によって接続されているが、これはホッチキス形式による接続や、金属線（針金など）、釦掛けなどによる接続であってもよい。
上記した各実施の形態では、出し入れ装置４５との組み合せにより自動倉庫５５を構成した棚装置１が示されているが、これはフォークリフトにより荷５８の出し入れを行う棚装置１であってもよい。
【００２７】
上記した各実施の形態では、収納空間２の２段置きにシート３０が配設されているが、これは各段にシート３０が配設された形式や、３段以上の複数段置きにシート３０が配設された形式などであってもよい。
上記した各実施の形態では、シート３０に芯体３１が固定されているが、これは芯体３１のないものであってもよく、この場合にシート３０は、折り畳んで運搬することも可能であり、そして展張姿勢は、適宜の手段により棚装置１側に固定される。
【００２８】
上記した各実施の形態において中間部枠組み体６は、腕木１６を一本化（共通化）して支柱１１に固定する形式によって腕木装置１５を形成しているが、これは腕木１６を別々として支柱１１の両側に腕木装置１５を固定する形式であってもよい。また別々とした腕木１６の端部にＬ字レール状のブラケットを一体化し、このブラケットを支柱１１に当て付けて固定化する形式であってもよい。
【００２９】
上記した実施の形態では、収納空間２の最奥部に給水管２１が縦方向に配設されているが、これは、後部の支柱１１の前後方向Ｘにおける外面側に給水管２１が縦方向に配設された形式や、前部の支柱１１の前後方向Ｘにおける外面側に給水管２１が縦方向に配設された形式であってもよく、さらには前後両方の支柱１１の前後方向Ｘにおける外面側に、それぞれ給水管２１が縦方向に配設された形式であってもよい。
【００３０】
上記した各実施の形態においては、棚装置１の背面どうしを背中合わせにして複数の自動倉庫５５を配設することで、全体として自動倉庫設備５６を構成する際に、両棚装置１の奥部（背部）の支柱１１が兼用された形式が示されているが、これは両棚装置１ともにそれぞれ奥部に支柱１１を有し、これら支柱１１を接近させて棚装置１の背面どうしを背中合わせにした形式であってもよい。
【００３１】
【発明の効果】
上記した本発明の請求項１によると、不燃性のシートの施工現場への運搬は、巻き取りや折り畳みなどにより小さくまとめて容易に行うことができ、また軽くかつ展張し易いことから施工現場での組み立てを容易に行うことができる。使用時において、たとえば荷の発火などにより火災が発生したとき、シートの下面に炎や煙が下方から当たるが、このときシートは不燃性で炎や煙に強いことから、損傷されることなく当該収納空間の上部や前後の支柱間の空間などを水平状に遮断でき、炎や煙が上段の収納空間に下方から流れ込むことを阻止して、上段の収納空間内の荷を延焼し難くできる。
【００３２】
また上記した本発明の請求項２によると、シートは、芯体に巻き付けた状態で、製作工場から施工現場へと容易に出荷できる。さらにユニット化された枠組み体に付けたままで製作工場から施工現場へと運搬することもできる。また施工現場でのシートの配設は、芯体から巻き戻しながら、軽く容易にかつ整然と行うことができる。
【００３３】
そして上記した本発明の請求項３によると、シート間の接続は、不燃糸による縫合によって容易に迅速に行うことができる。
【図面の簡単な説明】
【図１】本発明の第一の実施の形態を示し、消火手段付き立体棚設備における要部を背面側から見た一部切り欠き斜視図である。
【図２】同消火手段付き立体棚設備における要部の正面図である。
【図３】同消火手段付き立体棚設備における要部の拡大正面図である。
【図４】同消火手段付き立体棚設備における要部の縦断側面図である。
【図５】同消火手段付き立体棚設備における要部の横断平面図である。
【図６】同消火手段付き立体棚設備における中間部枠組み体の斜視図である。
【図７】同消火手段付き立体棚設備における要部の斜視図である。
【図８】同消火手段付き立体棚設備を採用した自動倉庫設備の概略平面図である。
【図９】本発明の第二の実施の形態を示し、消火手段付き立体棚設備における要部の拡大正面図である。
【図１０】本発明の第三の実施の形態を示し、消火手段付き立体棚設備における要部の拡大正面図である。
【符号の説明】
１    棚装置
２    収納空間
５    側部枠組み体
６    中間部枠組み体
１１    支柱
１２    空間
１５    腕木装置
１６    腕木
１７    腕木レール
２０    消火手段
２１    給水管
３０    シート
３０ａ  縁部シート（一側部分）
３０ａ  一側部分
３０ｂ  他側部分
３１    芯体
３２    芯棒
３３    連結部材
３４    不燃糸
４０    通路
４５    出し入れ装置
５５    自動倉庫
５６    自動倉庫設備
Ｘ    前後方向
Ｙ    左右方向
Ｚ    上下方向
【図１】
0003709735.tif 000002
【図２】
0003709735.tif 000003
【図３】
0003709735.tif 000004
【図４】
0003709735.tif 000005
【図５】
0003709735.tif 000006
【図６】
0003709735.tif 000007
【図７】
0003709735.tif 000008
【図８】
0003709735.tif 000009
【図９】
0003709735.tif 000010
【図１０】
0003709735.tif 000011